(57)【特許請求の範囲】
【請求項１】
壁面に配設した男子用小便器と、
前記男子用小便器から離して垂直下方に配設した排水蓋を有する排水溝と、
前記排水溝の前記壁面の反対側に配設した汚垂石と
を具備する男子便所用小便器ユニットにおいて、
前記汚垂石は、石材または人工石材またはセラミックスの平滑表面にノンスリップ加工を施し、かつ、１〜１５度の傾度で前記排水蓋の前記壁面の反対側の上面に一致させて配設したことを特徴とする男子便所用小便器ユニット。
【請求項２】
壁面に配設した男子用小便器と、
前記男子用小便器から離して垂直下方に配設した排水蓋を有する排水溝と、
前記排水溝の前記壁面の反対側に配設した汚垂石と
を具備する男子便所用小便器ユニットにおいて、
前記汚垂石は、石材または人工石材またはセラミックスの平滑表面にノンスリップ加工を施し、かつ、１〜１５度の傾度で前記排水蓋の前記壁面の反対側の上面に一致させて配設し、また、前記壁面に配設した前記男子用小便器の内面の立壁部は、垂直に対して０〜１５度の傾度で上方が前記男子用小便器を使用する男子側に、下方が前記男子から離反するように傾斜を形成したことを特徴とする男子便所用小便器ユニット。
【請求項３】
前記汚垂石の前記ノンスリップ加工は、所定の深さの切削溝を形成してなることを特徴とする請求項１または請求項２に記載の男子便所用小便器ユニット。
【発明の詳細な説明】
【技術分野】
【０００１】
本発明は、男子用小便器に使用者が近づきやすい構造であり、小水（小便）の跳ね返りのない男子便所用小便器ユニットに関するものであるある。
【背景技術】
【０００２】
男子便所、特に、不特定多数の人が使用する、駅、乗り物、ホテル、レストラン等の商業施設、学校、病院、高齢者施設等の公衆便所においては、不特定多数の人が使用することから、それを意識するために、また、衣服等が小便器に触れるのを避けるために、小便器から離れた位置で用を足す傾向にある。その結果、小便器外の床面に小水が漏れ（垂れ）たり、飛散したりし、また、小便器外に漏れたり、飛散したりした汚水（小水）は、時間の経過と共に臭気を発生して不衛生であり、便所の利用者に不快感や不潔感を与えている。
【０００３】
特に、タイルやビニールクロス等の床材への小水の染み込みを防止して清掃を容易化するために、小便器外に漏れたり、飛散したりした小水を受ける受け皿として小便器の下部の床面上（下床）に御影石等の平滑な汚垂石が配設されている場合、小便器外に漏れたり、飛散したりした小水が汚垂石の表面に付着することで、それを避けて立とうとして、適切な位置で用を足すのが困難であったり、不安定な姿勢で用を足すことになったりして、小便器外に小水が多く漏れたり、飛散したりしやすい傾向にある。
【０００４】
そこで、使用者を小便器に接近させようとするものとして、特許文献１において、トイレ床面のうち、便器に向かって下り傾斜する傾斜面部が該便器に向かって直交方向に連続するように設けたトイレ用床面構造が開示されている。
【０００５】
また、特許文献２では、男子小便器の使用者が立つべき所定の使用位置に設けるトイレマットにおいて、履物を載せ置いた前記使用者の足裏を持ち上げる足載せ部を備え、前記足載せ部の上面形状において、前記使用者の踵の位置、土踏まずの位置、母趾球の位置、爪先の位置の順に低くなるように角度をつけたことが開示されている。更に、特許文献３においても、男子小便器の使用者が立つべき所定の使用位置に設ける床面構造であって前記男子小便器の使用者が立つべき前記使用位置の床面において、前記使用者の踵の位置、土踏まずの位置、母趾球の位置、爪先の位置の順に低くなるように角度をつけた傾斜を備えたことが開示されている。そして、特許文献４には、小便器の内側に所定の角度を形成した技術が開示されている。
【先行技術文献】
【特許文献】
【０００６】
【特許文献１】特開２００６−１４４５４９
【特許文献２】特開２００８−２７２４９８
【特許文献３】特開２０１０−１１６７６５
【特許文献４】特開２０１４−２１８８００
【発明の概要】
【発明が解決しようとする課題】
【０００７】
しかしながら、特許文献１においては、傾きによって前傾姿勢となる不安定な姿勢を安定させようとし、また、特許文献２及び特許文献３においても、傾きによって使用者がバランスをとるとされており、特許文献１〜特許文献３の技術は、使用者に傾きを感じさせる構造、即ち、使用者が傾きを感じ取る構造となっている。このため、実際には、使用者は傾きによる不安定さを感じ取ってバランスをとり、姿勢を安定させために体重の重心を後方に移動させることで反身になることから、せっかくの傾きの角度が補正（補整）され、小便器との距離を傾きの分だけ縮めることはできない。そればかりか、傾きによる滑る可能性が不安感となり、却って小便器に近づくことを躊躇する恐れがある。したがって、小水の小便器外への漏れや飛散を防止する実用的な効果が得られ難くなっている。
そして、特許文献４は、使用者が小便器のボウル面に近づきやいように、便器洗浄装置が収納された収納室の前面をボウル面と連続し、後方に向かって傾斜して形成し、それによって小便器の内側に所定の角度が形成された技術であり、使用者が小便器に近づいていることが前提である。使用者が小便器に近づいていないと、小便器外への漏れや飛散の防止が効果的に発揮され難い。
【０００８】
そこで、本発明は、上記問題点を解消すべく、小水の小便器外への漏れや、小水の飛散を効果的に防止できる男子便所用小便器ユニットの提供を課題とするものである。
【課題を解決するための手段】
【０００９】
請求項１の発明の男子便所用小便器ユニットは、壁面に配設した男子用小便器の底面から離して垂直下方に配設した排水蓋を有する排水溝と、前記排水溝の前記壁面の反対側に配設した汚垂石とを具備し、前記汚垂石は、その表面にノンスリップ加工を施し、かつ、１〜１５度の傾度で前記排水蓋の前記壁面の反対側の上面に一致させて配設したものである。
【００１０】
ここで、上記壁面に配設した男子用小便器は、壁面に沿って配設したものでもよいし、壁面に組み込んで配設したものでもよい。
また、上記男子用小便器の外側底面から離して垂直下方に配設した排水蓋を有する排水溝は、単に排水溝のみを形成したものではなく、前記排水溝の上面に排水蓋を有するもので、前記排水蓋としては、四面つば付桝蓋等のグレーチング蓋や、ステンレスまたは鋳鉄製の格子蓋等の使用が可能である。
【００１１】
そして、上記排水溝の前記壁面の反対側に配設した汚垂石は、その表面にノンスリップ加工を施し、かつ、１〜１５度の傾度とし、前記壁面の反対側の前記排水蓋に一致させるように配設、即ち、前記排水溝の排水蓋の上面に向かって１〜１５度の傾度の前下がりに傾斜させて配設したものである。特に、１〜１５度の傾度では、ノンスリップ加工が施工されていなくても滑ることが少ない傾度である。
上記汚垂石のノンスリップ加工は、平行線や、井桁状の格子縞、斜め格子縞等の格子模様や、図形等をブラスト加工または切削加工等によって形成できる。
なお、上記汚垂石（おたち、ステップと呼ばれることもある）は、通常、アンモニアや酸に強く、汚水（小水）や臭いが染み込み難い材質で形成され、床材の変色を防止し小便器周りに漏れたり飛散したりした汚水の清掃の容易化を図るものである。
【００１２】
また、本発明の男子便所用小便器ユニットにおける前記汚垂石のノンスリップ加工は、石材または人工石材またはセラミックスの平滑面をブラスト加工することによって形成されているものであり、ノンスリップ加工を施す材料としては、石材または人工石材、セラミックスまたは合成樹脂が好ましい。石材または人工石材、セラミックスが水切りに好ましい。
【００１３】
請求項２の発明の男子便所用小便器ユニットは、壁面に配設した男子用小便器の外側底面から離して垂直下方に配設した排水蓋を有する排水溝と、前記排水溝の前記壁面の反対側に配設した汚垂石とを具備し、前記汚垂石は、その表面にノンスリップ加工を施し、かつ、１〜１５度の傾度で前記排水蓋の前記壁面の反対側の上面に一致させて配設し、また、前記壁面に配設した前記男子用小便器の内面の立壁部に対して０〜１５度の傾度で上方が前記男子用小便器を使用する男子側に、下方が前記男子から離反するように形成したものである。
【００１４】
ここで、上記壁面に配設した男子用小便器は、壁面に沿って配設したものでもよいし、壁面に組み込んで配設したものでもよい。
また、上記男子用小便器の外側底面から離して垂直下方に配設した排水蓋を有する排水溝は、単に排水溝のみを形成したものではなく、排水溝の上面に排水蓋を有するもので、排水蓋としては、四面つば付桝蓋等のグレーチング蓋や、ステンレスまたは鋳鉄製の格子蓋等の使用が可能である。
【００１５】
そして、上記排水溝の前記壁面の反対側に配設した汚垂石は、その表面にノンスリップ加工を施し、かつ、１〜１５度の傾度とし、前記排水蓋の前記壁面の反対側上面に一致させるように配設したものである。
上記汚垂石のノンスリップ加工は、平行線や、井桁状の格子縞、斜め格子縞等の格子模様や、図形等をブラスト加工または切削加工等によって形成できる。
なお、上記汚垂石（おたち、ステップと呼ばれることもある）は、通常、アンモニアや酸に強く、小水や臭いが染み込み難い材質で形成され、床材の変色を防止し小便器周りに漏れたり飛散したりした汚水の清掃の容易化を図るものである。
【００１６】
また、上記壁面に配設した前記男子用小便器の内面の立壁部は、垂直に対して０〜１５度の傾度で上方が前記男子用小便器を使用する男子側に、下方が前記男子から離反するように形成、即ち、鉛直線に対して０〜１５度の傾度の範囲で内面上方を男子用小便器に向かって立つ男子寄りに、内面下方を壁面寄りに設けたものである。前記男子用小便器の内面の立壁部は、例えば、前記男子用小便器の高さの１／２の上部が鉛直線であっても、下から１／２の下部が０〜１５度の傾度を有しておればよい。勿論、前記男子用小便器の全体が０〜１５度の傾度を有していてもよい。
このように、男子用小便器の鉛直線に対し、内面上部から内面下部の直線に０〜１５度の傾度の傾斜を持たせたことでも、前記汚垂石の傾斜角度を１〜１５度の傾度としたときの同様の作用効果がある。
【００１７】
ここで、前記汚垂石の傾斜角度は前記男子用小便器の傾きから差し引くことも可能であるが、用を足す男子が前記汚垂石の傾斜角度、前記男子用小便器の傾きが感じられない程度の角度であれば、この角度は大きいことが望ましい。例えば、前記汚垂石の傾斜角度を５〜１０度、前記男子用小便器の傾きを１０〜１５度とすることもできる。特に、前記男子用小便器の立壁部の傾きは２０度以下であれば、通常の使用者である男子はその状態に気付くことがない。ここで、角度は大きいことが望ましいとは、前記男子用小便器の内面がベクトル的に表面張力の作用が大きくなり、小水を小便器の内面側に引付けるから、跳ね返りが少なくなる。また、前記汚垂石の傾斜角度と前記男子用小便器の傾きを加算すると、最大で３０度となるが、両者の傾きの和の最小値の１５度よりも好適であることを意味する。このときも、男子用小便器の傾きと前記汚垂石の傾斜角度とが３０度以下であれば、用を足す人はそれに気付かず普段通りの使用ができる。
【００１８】
また、本発明の男子便所用小便器ユニットにおける前記汚垂石のノンスリップ加工は、石材または人工石材またはセラミックスの平滑面をブラスト加工することによって形成されているものであり、ノンスリップ加工を施す材料としては、石材または人工石材、セラミックスまたは合成樹脂が好ましい。石材または人工石材、セラミックスが水切りに好ましい。
【００１９】
請求項３の発明の男子便所用小便器ユニットにおける前記汚垂石のノンスリップ加工は、切削溝を形成してなるものであるから、切削溝の深さによって、汚水の流れる量を自由に設定できる。特に、前記壁面に垂直な切削溝を形成するのが好適である。
【発明の効果】
【００２０】
請求項１の発明の男子便所用小便器ユニットは、壁面に配設した男子用小便器の外側底面から離して垂直下方に配設した排水蓋を有する排水溝と、前記排水溝の前記壁面の反対側に配設した汚垂石とを具備し、前記汚垂石は、その表面にノンスリップ加工を施し、かつ、１〜１５度の傾度で前記壁面の反対側の前記排水蓋の上面に一致させて配設したものである。
したがって、用を足す男子が前記汚垂石表面のノンスリップ加工の存在を確認するが、それが傾いていることを意識しないで男子用小便器に向かって立つから、男子の体が反身になることなく用を足すことができ、例えば、１ｍの高さからすれば、１．７〜２６．８ｍｍ、好ましくは３〜１０度では、５．２〜１７．６ｍｍ、男子用小便器に近づくことになる。よって、小水が外に漏れる確率が低くなる。
【００２１】
そればかりか、小水の流れが１〜１５度だけ小便器に近づき、小便器内の立壁部の沿面に沿って流れる沿面流の濡れ性が表面張力を増し、衝突の際の跳ね返りに相当する小水が少なくなる。したがって、使用者は経験則により、小便器に近づいて用を足すことができる。
特に、発明者らの実験によれば、構造を全く知らない人が３時間使用する状態のデータ取りを行った。従来の構造の前記汚垂石を固定し、水平（平面）構造である場合と、１〜１５度の傾度の場合で実験したところ、水平構造で小便器外に漏らした水滴量は７．５ｇであったが、１〜１５度の傾度の場合には、小便器外に漏らした水滴量は１ｇ満たない量であった。このデータは前記汚垂石を３〜１０度傾斜させた場合には、成績が良くなっているが、前記汚垂石の表面を平面とした場合や、傾斜面に立って用を足す位置が２０度以上の斜面と認識される場合には成績は低下した。
【００２２】
即ち、前記汚垂石の表面を２０度以上に傾けると、用を足そうとする男子は、その傾斜が安全であるか否かを無意識で判断して、男子用小便器から距離を離そうとし、また、前記汚垂石のノンスリップ加工を疑い、安全保った上で用を足そうとする。そのため、小水が外に漏れたり飛散したりする確率が高くなる。
逆に、前記汚垂石の表面を水平（平坦）にすると、前記汚垂石のノンスリップ加工の能力を疑う者がいなくなるが、通常の仕様となる。
【００２３】
前記汚垂石の表面を１〜１５度の傾度とすることで、男子の体が反身になることなく男子用小便器に近づいて用を足すことができ、用を足している男子の小水は、男子用小便器内の壁面に対して表面張力と表面の濡れで、ベクトル的に反発力がなくなるから、跳ね返りの少ない状態で用足しができる。また、男子便所用小便器ユニットが新しいと綺麗に使用しようとする気構えがあり、汚れも少ない。
そして、前記汚垂石の表面のノンスリップ加工により、水分が表面に付着する確率が低くなると、誰が見てもスリップが生じない安心感が得られる。
したがって、小便器に近づきやすく、小水の小便器外への漏れや飛散を効果的に防止できる。
【００２４】
そして、本発明の男子便所用小便器ユニットによれば、前記汚垂石のノンスリップ加工は、石材または人工石材またはセラミックスの平滑面をブラスト加工することによって形成されているものであるから、石材または人工石材、セラミックスでは、防水性が良くて衛生状態を良好に保持することができ、また、平滑面をブラスト加工してなるノンスリップ加工が、石材または人工石材またはセラミックスに対して部分的にまたは全体的に行うのが容易にでき、更に、美観にも優れるものが製作できる。特に、セラミックスは焼成によって凹凸面を形成できるが、焼成後に平面を出し、その後にブラスト加工した方が見栄えが良くなる。
【００２５】
請求項２の発明の男子便所用小便器ユニットは、壁面に配設した男子用小便器の外側底面から離して垂直下方に配設した排水蓋を有する排水溝と、前記排水溝の前記壁面の反対側に配設した汚垂石とを具備し、前記汚垂石は、その表面にノンスリップ加工を施し、かつ、１〜１５度の傾度で前記排水蓋の前記壁面の反対側の上面に一致させて配設し、また、前記壁面に配設した前記男子用小便器の内面の立壁部は、垂直に対して０〜１５度の傾度で上方が前記男子用小便器を使用する男子側に、下方が前記男子から離反するように形成したものである。
したがって、用を足す男子が前記汚垂石表面のノンスリップ加工の存在を確認するが、汚垂石や男子用小便器が傾いていることを意識しないで男子用小便器に向かって立つから、男子の体が反身になることなく用を足すことができる。
【００２６】
ここで、汚垂石が１〜１５度の傾度で傾いている場合、男子用小便器に向かって立つ男子は、例えば、１ｍの高さからすれば、１．７〜２６．８ｍｍ、好ましくは３〜１０度では、５．２〜１７．６ｍｍ、男子用小便器に近づくことになる。よって、小水が外に漏れる確率が低くなる。そればかりか、小水の流れが１〜１５度だけ小便器に近づき、小便器内の立壁部の沿面に沿って流れることになり、その沿面流の濡れ性が表面張力を増し、跳ね返りが少なくなる。発明者らの実験によれば、構造を全く知らない人が３時間使用する状態のデータ取りを行った。従来の構造の前記汚垂石を固定し、水平（平面）構造である場合と、１〜１５度の傾度の場合で人に使用させたところ、水平（平面）構造で小便器外に漏らした水滴量は７．５ｇであったが、１〜１５度の傾度の場合には、小便器外に漏らした水滴量は１ｇ満たない量であった。このデータは前記汚垂石を３〜１０度傾斜させた場合には、成績が良くなっているが、前記汚垂石の表面を平面とした場合や、傾斜面に立って用を足す位置が２０度以上の斜面と認識される場合には成績は低下した。
【００２７】
即ち、前記汚垂石の表面を２０度以上に傾けると、用を足そうとする男子は、その傾斜が安全であるか否かを無意識で判断し、男子用小便器から距離を離そうとし、また、前記汚垂石のノンスリップ加工を疑い、安全保った上で用を足そうとする。そのため、小水が外に漏れたり跳ねたりする確率が高くなる。逆に、前記汚垂石の表面を水平（平坦）にすると、前記汚垂石のノンスリップ加工の能力を疑う者がいなくなるが、通常の仕様となる。
前記汚垂石の表面を１〜１５度の傾度とした場合には、男子の体が反身になることなく男子用小便器に近づいて用を足すことができ、しかも、男子用小便器内の立壁部に対して表面張力と表面の濡れで、ベクトル的に反発力がなくなるから、跳ね返りの少ない状態で用足しができる。そればかりか、１〜１５度だけ小便器に近づき、小便器内の立壁部の沿面に沿って流れる沿面流の濡れ性が表面張力を増し、衝突の際の跳ね返りに相当する小水が少なくなる。したがって、使用者は経験則により、小便器に近づいて用を足すことができる。
【００２８】
また、この汚垂石の傾斜角度を男子用小便器の内面上部から内面下部の直線に持たせ、壁面に配設した前記男子用小便器の内面を、垂直に対して０〜１５度の傾度で上方が前記男子用小便器を使用する男子側に、下方が前記男子から離反するように形成することでも、同様の作用効果を得ることができる。
即ち、男子用小便器の内面を垂直に対して０〜１５度の傾度とすることで、それが傾いていることを意識しないで男子用小便器に近づいて男子の体が反身になることなく用を足すことができ、用を足している男子の小水の立壁部に対する衝突は、ベクトル的に反発成分が少なくなり、前記男子用小便器の内面の立壁部の沿面流の濡れ性が表面張力を増し、跳ね返りが少なくなり、男子便所用小便器ユニットを清潔に使用できる。
【００２９】
ここで、前記汚垂石の表面の角度を１〜１５度の傾度で、男子用小便器の内面を垂直に対して０〜１５度の傾度で人に使用させたところ、両者の和の角度は大きいことが望ましいことが明確になった。即ち、男子用小便器の内面の立壁部に対してベクトル的に反発力が弱くなり、小水を小便器の内面側の立壁部に引付けるから、沿面流の濡れ性が表面張力を増し、それだけ跳ね返りが少なくなった。また、前記汚垂石の傾斜角度と前記男子用小便器の傾きを加算すると、最大で３０度となるが、最小値の１５度よりも好適である。このときも、男子用小便器の傾きが０〜１５度であれば、用を足す人は普段通りの使用ができる。
【００３０】
また、男子便所用小便器ユニットが新しいと、使用者は綺麗に維持しようとする意識があり、そして、前記汚垂石の表面のノンスリップ加工により、水分が表面に付着する確率が低くなり、誰が見てもスリップが生じない安心感が得られる。したがって、小水の小便器外への漏れや飛散を効果的に防止できる。
なお、請求項１では、男子用小便器の傾きが０度（垂直）のもので実験して良好であったから、男子用小便器の傾きが０〜１５度であれば用を足す人は普段通りの使用ができる。
【００３１】
そして、本発明の男子便所用小便器ユニットによれば、前記汚垂石のノンスリップ加工は、石材または人工石材またはセラミックスの平滑面をブラスト加工することによって形成されているものであるから、石材または人工石材、セラミックスでは、防水性が良くて衛生状態を良好に保持することができ、また、平滑面をブラスト加工してなるノンスリップ加工が、石材または人工石材またはセラミックスに対して部分的にまたは全体的に行うのが容易にでき、更に、美観にも優れるものが製作できる。特に、セラミックスは焼成によって凹凸面を形成できるが、焼成後に平面を出し、その後にブラスト加工した方が見栄えが良くなる。
【００３２】
請求項３の発明の男子便所用小便器ユニットにおける前記汚垂石のノンスリップ加工は、切削溝を形成してなるものであるから、請求項１または請求項２に記載の効果に加えて、前記切削溝の深さによって水分の吸収量が変化し、常に、水分が前記汚垂石の表面を覆うことがないようにすることができる。
【図面の簡単な説明】
【００３３】
【図１】図１は本発明の実施の形態１に係る男子便所用小便器ユニットの構成を示す全体斜視図である。
【図２】図２は本発明の実施の形態１に係る男子便所用小便器ユニットの構成を示す側面から見た断面図である。
【図３】図３は本発明の実施の形態１に係る男子便所用小便器ユニットの構成を示す上から見た平面図である。
【図４】図４は本発明の実施の形態１に係る男子便所用小便器ユニットの汚垂石の変形例１を説明する全体斜視図である。
【図５】図５は本発明の実施の形態１に係る男子便所用小便器ユニットの汚垂石の変形例２の説明図であり、図５（ａ）はブラスト加工で履物のシルエットを描いた汚垂石を説明する全体斜視図、図５（ｂ）はブラスト加工で履物のシルエットラインを描いた要部斜視図である。
【図６】図６は本発明の実施の形態１に係る男子便所用小便器ユニットの汚垂石の変形例３を説明する全体斜視図である。
【図７】図７は本発明の実施の形態１に係る男子便所用小便器ユニットの汚垂石の変形例４を説明する全体斜視図である。
【図８】図８は本発明の実施の形態１に係る男子便所用小便器ユニットの汚垂石の変形例５を説明する全体斜視図である。
【図９】図９は本発明の実施の形態２に係る男子便所用小便器ユニットの男子用小便器を説明する側面図である。
【発明を実施するための形態】
【００３４】
以下、本発明の実施の形態について、図面を参照しながら説明する。
なお、各実施の形態において、同一の記号及び同一の符号は同一または相当する機能部分を意味し、各実施の形態相互の同一の記号及び同一の符号は、それら実施の形態に共通する機能部分であるから、ここでは重複する詳細な説明を省略する。
【００３５】
[実施の形態１]
まず、本実施の形態１に係る男子便所用小便器ユニット１について、図１乃至図８を参照して説明する。
本実施の形態１の男子便所用小便器ユニット１は、壁面Ｗに取り付けた男子用小便器（以下、単に「小便器」という）１０と、小便器１０の下部の床面に配設した排水溝２０と、壁面Ｗの前、即ち、排水溝２０の手前側で排水溝２０の上表面に一致させて床面に配設した汚垂石３０を有する。
【００３６】
図１及び図３においては、本実施の形態１の男子便所用小便器ユニット１が不特定多数の人が使用する駅、乗り物、ホテル、飲食店、学校、病院等の公共の便所に使用されるものとして、複数の小便器１０を並行に設置されている。病院等の便所では、用足し中に倒れたり、気分や具合が悪くなったりしたときの非常ボタンＢが設けられる。例えば、図１においては、小便器１０の横で、床面から７０ｃｍ〜１００ｃｍの高さの壁面Ｗに非常ボタンＢを設けてある。気分や具合が悪くなったとき、転倒したときでも非常ボタンＢが押せるようになっている。また、図１及び図３においては、用を足す際に体を支えるための手摺Ｈを設けている。更に、各小便器１０の相互間に図示しない間仕切り板が設けられることもある。
【００３７】
小便器１０は、例えば、陶器等によって形成されている。図１及び図２に示すように、小便器１０は、鉛直方向に形成され使用者と対面する図２に示す正面で小水を直接浴びる立壁部１１及び立壁部１１から連続して壁面Ｗの反対側（使用者である男子Ｍ側）に突出し、小水や洗浄水を排水口１２に案内するように形成された底部１３からなる便鉢部（ボウル部）１４を有している。図２では、便鉢部１４の立壁部１１は、内面上部から下部が壁面Ｗと平行する垂直線状に形成されている。
【００３８】
なお、通常、図１乃至図３に示すように、便鉢部１４には、小水や小便器１０の洗浄水を底部１３の排水口１２に案内する案内部１５が形成されている。そして、用を足そうとする男子Ｍを検知するマイクロ波または遠赤外線式の検知センサ（図示せず）を設けて、この検知センサ（図示せず）により男子Ｍが用を足して小便器１０から所定距離離れたことを検知した場合に、便鉢部１４の上側に設けられる吐出部（図示せず）から便鉢部１４の内面に洗浄水を供給（吐出）して、便鉢部１４の内面を洗浄し、排水口１２に案内された小水や洗浄水が排水口１２から下方に延びる管路１６を介して便鉢部１４外に排出されるようにしている。
【００３９】
また、用を足そうとする男子Ｍを検知センサ（図示せず）が検出すると、便鉢部１４の上側に設けられる吐出部（図示せず）から便鉢部１４の内面に洗浄水を供給（吐出）して、便鉢部１４の内面を洗浄し、排水口１２に案内された小水や洗浄水が排水口１２から下方に延びる管路１６を介して便鉢部１４外に排出されるようにし、小水を流す前に濃い小水が小便器１０に付着し難くしている。
本実施の形態１において、この小便器１０は、例えば、図示しない吊下げ金具で壁面Ｗに係止することにより、または、ネジやボルト締め等により、壁面Ｗに固定され、壁面Ｗに沿って設置されている。
なお、本発明を実施する場合、小便器１０は、その一部または全部を壁面Ｗに組み込んで設置してもよい。
【００４０】
そして、本実施の形態１の男子便所用小便器ユニット１においては、この小便器１０の外側底面から離して垂直下方に、排水蓋２１を有する排水溝２０が配設されている。
図１乃至図３において、排水溝２０は、並設した複数の小便器１０の垂直下方において、壁面Ｗに沿って並行する方向に連続して設けられている。
なお、図示しないが、排水溝２０には排水が図の右側または左側に流れ易いように僅かな傾斜が形成されている。
【００４１】
本実施の形態１の排水溝２０は、図２に示すように、所定容積を有する凹部（Ｕ字溝）の開口上部に排水蓋２１が取り付けられたものであり、排水蓋２１により、小水や、小便器１０内の洗浄水や、便所の床面や小便器１０等を洗浄する際の洗浄水以外のゴミ等の異物の侵入を阻止している。排水蓋２１としては、例えば、グレーチング蓋、ステンレスまたは鋳鉄製の格子蓋等が使用され、グレーチング蓋としては、公知の金属板材を桟状に溶接してなるものや、天然石または合成石等を分布させ所定の外枠内に収容したもの等が挙げられる。
図１乃至図３においては、排水蓋２１は、例えば、小便器１０の並設方向に長い棒鋼からなる横浅に対して、それに直交して複数の所定幅の縦浅を平行に配置して溶接し、その端部を外枠体で溶接することで、上平面が略四角形状に形成されている。
【００４２】
この排水溝２０は、通常、壁面Ｗと床面との境界部の角部及び幅木部分の汚れを防止するために、壁面Ｗの下端縁に接して排水蓋２１が設けられている。勿論、排水蓋２１と壁面Ｗの下端縁との間をいくらか離してもよいが、清掃によって、常に清潔さを保つことができる構造であればよい。そのためには、排水蓋２１と壁面Ｗの下端縁との間を設けない方がよい。
【００４３】
なお、図１乃至図３においては、床面に排水溝２０の本体部を埋設し、更に本体内に排水蓋２１を被せる開口側に幅を広くする端部に、蓋の厚み分だけ落ち込む受部２２を形成し、その受部２２に排水蓋２１を載せる（落とし込む）ことで排水溝２０を形成している。排水蓋２１は、排水溝２０内（凹部）の清掃等のために取り付け、取り外しが容易にできるよう受部２２に対して開閉可能に取り付けられている。
【００４４】
図２に示すように、本実施の形態１では、排水溝２０の排水蓋２１の上面から小便器１０の底面下端までの距離Ｌを５０〜１５０ｍｍの範囲内とした。即ち、小便器１０の下端を排水溝２０の排水蓋２１の上面から５０〜１５０ｍｍ離して設置した。
小便器１０を床面に直接置いた場合には、小便器１０から垂れたたり、飛散したりした小水が床面との境界線に染み込んで汚れとなり、その部分の清掃が困難であることで、小水が付着してそれが臭いの発生源ともなり、不衛生な状態となりやすいので、それを防止している。
【００４５】
このように小便器１０を排水蓋２１の上面から所定の距離離して壁面Ｗに取付けることで、床面と小便器１０の下縁との接触線が生じないから、常に清潔さを感じ取ることができる。特に、小便器１０の底面下端が排水溝２０の排水蓋２１から５０ｍｍ以上離れることで、小便器１０の清掃の際には、小便器１０の下端と床面との間を掃除道具等で処理ができて清掃処理がしやすく清潔な衛生状態を保つことができる。一方、小便器１０の底面下端と排水溝２０の排水蓋２１との離間距離Ｌを１５０ｍｍ以下とすることで、小便器１０の下に配設した排水溝２０が視覚に入り難く、見た目に外観性が低下することもない。
【００４６】
そして、本実施の形態１の男子便所用小便器ユニット１においては、小便器１０の下底面から離れた排水溝２０の上面に、下端の辺を一致させて汚垂石３０が配設されている。図１乃至図３において、汚垂石３０は、排水溝２０の排水蓋２１と連続して面を形成している。
【００４７】
具体的には、本実施の形態１の汚垂石３０は、排水溝２０の壁面Ｗの反対側において、１〜１５度の傾度（図２の角度θ＝１〜１５°）で排水溝２０の排水蓋２１の上面に一致させて配設されたものである。即ち、１〜１５度に傾く傾斜の下端が排水蓋２１の上面に壁面Ｗの反対側で一致して配設されている。
図２においては、汚垂石３０を組み込む床において、１〜１５度の傾斜を形成し、その傾斜上に、上面及び下面が平行面の直方体状の成形品である汚垂石３０を組み込むことにより、排水溝２０及び汚垂石３０以外の、例えば、タイル材等から形成される床面４０と殆ど段差なく、汚垂石３０を１〜１５度の傾度θで排水溝２０の排水蓋２１に合致させて施工している。
【００４８】
即ち、汚垂石３０を１〜１５度の傾度の傾きで組み込むことにより、１〜１５度の傾度θで排水溝２０の排水蓋２１に一致させている。また、汚垂石３０の上面の全面が傾斜した構成とすることもできる。しかし、本発明を実施する場合には、予測される男子Ｍの立ち位置、例えば、排水溝２１から少なくとも１５０〜４００ｍｍの幅にて、１〜１５度の傾度θで汚垂石３０を排水溝２０の排水蓋２１に一致させるように形成しておき、それを組み込んでもよい。このとき、排水蓋２１から遠ざかる方向の床面４０側に近い汚垂石３０の上面を一部水平面とすることも可能である。即ち、上面において所定の距離幅で１〜１５度の傾斜を有しそれ以外は水平面とした断面が、用を足す男子Ｍの立ち位置から前方を１〜１５度の傾斜としてもよい。つまり、１〜１５度の傾度θの汚垂石３０の面と、床面４０との境界は、汚垂石３０の面に立ち位置の一部以上が形成されるものであればよい。なお、床面４０は傾度ゼロの平坦な面である。
【００４９】
なお、ここでは、排水溝２０及び汚垂石３０以外の、例えば、タイル材等から形成される床面４０と殆ど段差なく汚垂石３０を配設している。段差がないことで、段差の境界部に汚水が染み込んで付着したり臭いが発生したりすることもなく、清掃が容易となり、衛生を保つことができる。また、段差への引掛りによる躓きを防止できる。また、汚垂石３０と床面４０との間の目地を、排水用の溝として形成することもできる。
【００５０】
即ち、本発明を実施する場合には、小便器１０に近づくように促す立ち位置として、排水溝２０及び汚垂石３０以外の、例えば、タイル材等から形成される床面４０との間に溝を設けるように汚垂石３０を設置することも可能である。この場合には、溝での躓きを防止するには、例えば、床面４０との幅を５ｍｍ以下とし、段差側の汚垂石３０の端部を溝側に向かって緩やかな下り傾斜に形成するのが望ましい。
【００５１】
なお、この汚垂石３０は、小便器１０に対する男子Ｍの立ち位置を考慮し、例えば、壁面Ｗから１０〜２０ｃｍ離れた位置から壁面Ｗの反対側に向かって３０ｃｍ〜７０ｃｍの幅で設けられる。図３においては、小便器１０の垂直方向の立壁部１１（図２参照）から壁面Ｗの反対側に向けて突き出す底部１３の突き出し位置から使用者である男子Ｍ側に向かって、少なくとも男子Ｍの履物の長さである爪先から踵までが汚垂石３０の面となるように全体を定めている。
【００５２】
ここで、本実施の形態１の汚垂石３０は、御影石（花崗岩）等の石材によって形成され、その露出表面においてブラスト加工を施すことによりノンスリップ（滑り止め）加工している。図１乃至図３において、ブラスト加工は、汚垂石３０の表面において、壁面Ｗに平行する方向に連続する所定間隔の平行線状に施されており、壁面Ｗに平行する方向にブラスト加工部３１とそれ以外の非加工部３２とが所定幅で交互に形成されている。
【００５３】
このように表面が平滑な御影石（花崗岩）等の石材をブラスト加工することにより微細な凹凸が形成されて、男子Ｍの履物との摩擦係数が高まり、かつ、水分が表面の凹部に溜まっても、凸部に水分が保持されないから、凸部の接触により滑り難くなり、スリップが生じ難い構造となる。特に、汚垂石３０の表面を壁面Ｗに対して平行方向に複数列の平行線状にブラスト加工することで、男子Ｍの履物の長さに対して前後方向及び横方向に滑り止めが作用することで、小便器１０を使用する男子Ｍの進行方向及び進行方向に対して直角に効果的に滑り止めが効き、小便器１０に近寄りやすい構造となる。また、ブラスト加工により凹凸が形成されることでブラスト加工部３１は乱反射する艶消し状態となり、そのようなブラスト加工部３１と、ブラスト加工が施されておらず表面が平滑な艶状態の非加工部３２とで横縞状のデザインが付与される。
なお、ブラスト加工は、鋼球等で表面を荒らす加工であるから、凸部分でも最初の加工前からすれば、加工前よりも低くなっている。
【００５４】
ブラスト加工は、具体的には、例えば、亜鉛、ニッケル等の粒子、鋼球、鉄砂の金属粒子や、アルミナ、ジルコン等のセラミック・鉱物粒子や、ガラス粒子、木材チップ等の植物片、ナイロン樹脂等の硬質で微細な投射材を高圧で加速して表面に噴きつけることによって行われ、例えば、表面粗さを５０μｍＲｚ（Ｓ）以上とする。このときの投射方法は、特に限定されるものではなく、ビーズブラスト処理、サンドブラスト処理、ショットブラスト処理等の何れでもよい。
【００５５】
特に、汚垂石３０が、石材で形成されていることで、それらの平滑面をブラスト加工するのは容易であり、また、石材または人工石材の平滑面をブラスト加工してなるノンスリップ加工では、優れた美観の意匠性を表出できる。更に、汚垂石３０が石材または人工石材であることで、撥水性が良く、また、硬度が高くて傷付きや擦れが少ないため小水等の汚れが付着し難く、衛生状態を良好に保持することができる。
【００５６】
しかし、本発明を実施する場合には、汚垂石３０を人工石材、セラミックス、合成樹脂、合成ゴム等で形成することも可能である。特に、セラミックスは、撥水性が良くて衛生状態を良好に保持することができ、また、平滑面をブラスト加工するノンスリップ加工も比較的容易にできる。セラミックスは焼成によっても凹凸面を形成できるが、例えば、釉薬を釉掛けしてから焼成することで焼成後に平滑面を出し、その後にブラスト加工した方が見栄えが良くなる。また、釉薬を釉掛けすることで撥水性も増す。なお、セラミックスの材料としては、例えば、カオリナイト、モンモリロナイト、絹雲母、滑石、パイロフィライト、ジプサイト質系のセラミック材料などの粘土系材料が使用できる。
【００５７】
また、図１乃至図３の汚垂石３０には、男子Ｍが用足しする際の好適な用足し位置として石材や合成樹脂によって他の床面とは異なる配色とした着色ライン３３が各小便器１０に対応させ、壁面Ｗに対して平行に形成されている。この着色ライン３３によって、男子Ｍの視覚に男子Ｍが用足しする際の爪先の立ち位置を訴えてそれを認識させるようにしており、男子Ｍが小便器１０の表面を伝って小水を漏らしたり、跳ね返ったりすることが少ない角度位置で用が足せるように導いている。なお、他の床面とは異なる材料を埋め込む他後述するようなブラスト加工を施すことにより同様の効果を持たせてもよい。
【００５８】
このような構成の本実施の形態１の男子便所用小便器ユニット１によれば、汚垂石３０が１〜１５度の傾度θで排水溝２０に向かって前下がりに傾斜していることから、水平であるときよりも、用を足す男子Ｍが小便器１０側に傾いて小便器１０に近づくことになる。
【００５９】
ここで、汚垂石３０の１〜１５度の傾度θは、発明者らの実験において、構造を全く知らない人が３０人使用する状態のデータ取りを行ったところ、従来の汚垂石３０を水平に設置した水平（平面）構造では、小便器１０外に洩れた水滴量が７．５ｇであったのに対し、汚垂石３０を１〜１５度の傾度θで傾けた構造では、小便器１０外に洩れた水滴量は１ｇ満たない量であり、特に、汚垂石３０を３〜１０度傾斜させた場合には、成績が良くなるが、汚垂石３０の表面を２０度以上にすると成績は低下したことから、これに基づいて設定したものである。汚垂石３０を１０〜１５度の傾度θとなると、用を足そうとする男子Ｍが傾斜を認識していない者、していても無視する者があり、この角度に境界がある。
【００６０】
即ち、汚垂石３０が２０度以上に傾斜している場合、用を足そうとする男子Ｍは、傾斜を感じ取り、その傾斜の安全性を考慮して、小便器１０から距離を離そうとし、また、汚垂石３０のブラスト加工によるノンスリップ加工による安全性を疑い、安全を保った上で用を足そうとする。つまり、安全を保とうと体の重心を後方に移動させ反身になって用を足そうとする。そのため、小便器１０からの距離が遠くなり、小水が外に跳ねる確率も高くなる。
逆に、汚垂石３０の傾きが０度で水平に配設されていると、汚垂石３０のノンスリップ加工の能力を疑う者がいなくなるが、通常の仕様となり、小便器１０との距離が近づかない。
【００６１】
汚垂石３０を１〜１５度の傾度θに傾斜させることで、汚垂石３０表面のノンスリップ加工の存在を確認するが、それが傾いていることを意識しないで小便器１０に向かって立つから、男子Ｍの体が反身になることなく用を足すことができ、傾斜によって小便器１０に近づくことで、小水がベクトル的に小便器１０の立壁部１１から跳ね返りが生じそうだが、現実には、小水の流れが１〜１５度だけ小便器１０内の立壁部１１の沿面に沿って流れる沿面流となり、小便器１０の立壁部１１の濡れ性が表面張力を増し、衝突の際の跳ね返りに相当する小水が少なくなる。したがって、使用者は経験則により、小便器１０に近づいて用を足すことができる。このように、小水が小便器１０から外に跳ねたり漏れたりする確率が低くなる。
【００６２】
例えば、１ｍの高さからすれば、水平面に立って用を足すときよりも１．７〜２６．８ｍｍ、好ましくは３〜１０度では、５．２〜１７．６ｍｍ、小便器１０に近づくことになる。そればかりか、小便器１０の立壁部１１に向けて放たれた小水は、小水の流れが１〜１５度だけ小便器１０の立壁部１１に近づくが、小便器１０の立壁部１１の濡れ性が小便器１０の立壁部１１の表面張力を増し、衝突の際の跳ね返りに相当する小水が少なくなる。したがって、小便器１０の外部に落下したり、表面を伝って下方に流れたりすることがない。即ち、用を足している男子Ｍの小水は、小便器１０の立壁部１１に沿って並行移動し、跳ね返りの少ない状態で用足しができる。
【００６３】
殊に、小便器１０の内面側の立壁部１１は、洗浄水によって釉薬の表面が濡れており、または前に使用した男子Ｍの小水により釉薬の表面が濡れているから、その濡れ性により表面張力が大きくなり、小水の跳ね返り等がなくなる。特に、小水の軌跡からして、小便器１０の立壁部１１に接触するときには、小水の衝突角度が立壁部１１の面に対して平行に近くなるから、ベクトル的に反射成分が少なくなり、男子Ｍの方への跳ね返りが少なくなり、下方の底部１２に落下したり、立壁部１１に沿って下方に流れたりする。
【００６４】
加えて、汚垂石３０の表面のブラスト加工、即ち、ノンスリップ加工（滑り止め）によって、小便器１０から外に跳ねたり、漏れたりした小水がノンスリップ加工の表面に付着する確率が低いことで、誰が見てもスリップが生じない安心感が得られ、清潔さを感じ取る。更に、男子便所用小便器ユニット１が新しいときには、綺麗に使用しようとする精神作用が働く。また、汚垂石３０を排水溝２０の排水蓋２１に一致させていることで、排水溝２０の深さを疑うこともない。したがって、小便器１０に近寄りやすい構造となり、小水が小便器１０外に跳ねたり漏れたりする確率を低くできる。
【００６５】
特に、図１乃至図３に示したように、汚垂石３０の表面を壁面Ｗに対して平行する方向に複数列の平行線状にブラスト加工することで、小便器１０で用を足そうとする男子Ｍの進行方向及び進行方向に対して直角方向に効果的に滑り止めが効き、男子Ｍの履物の長さ方向及びその直角方向に滑り止めが作用することで、小便器１０により一層近寄りやすい構造となる。
【００６６】
更に、汚垂石３０の上面が排水溝２０に向かって所定の傾度θで下り傾斜であることで、汚垂石３０上に飛散したり、垂れたりした小水（以下、汚水ともいう）及び便鉢部１４を洗浄した洗浄水や、小便器１０や床面の洗浄に使用した洗浄水等の水分が傾斜によって排水溝２０に向かって流下しやすく汚垂石３０に溜まり難いため、汚垂石３０の衛生を保つことができ、臭気の発生も少なく、清掃作業の負担も軽減できる。そして、汚垂石３０の表面のブラスト加工により水分が表面に付着する確率が低いうえに、傾斜によって汚垂石３０上に水分が溜まり難いことで、用を足す男子Ｍに与える不快感を軽減できる。更に、汚垂石３０上の水分が他の床面４０に流下したり、或いは、小便器１０に用を足す男子Ｍの履物の裏に付着して他の床面４０を汚したりすることが少なくなり、男子便所用小便器ユニット１を使用する便所全体を衛生的で清潔に維持できる。なお、汚垂石３０の壁面Ｗに対して垂直な方向に２〜５ｍｍ幅の切削溝（図５を参照して「切削溝３４」のこと）を形成し、水はけを更に良くすることもできる。
このようにして、小水の小便器１０外への漏れや飛散が効果的に防止される。
【００６７】
ところで、本発明を実施する場合には、汚垂石３０の表面をブラスト加工する加工形態は、壁面Ｗに対して平行線状に施すことに限定されるものではなく、例えば、汚垂石３０の表面全体をブラスト加工してもよいし、壁面Ｗに対して垂直な方向に平行線状に加工してもよい。また、図１において、男子Ｍが用足しする最適な用足し位置を石材料、合成樹脂、合成ゴムを使用した着色ライン３３によって表現したが、ブラスト加工によって好適な用足し位置を表現してもよい。特に、ブラスト加工では、ノンスリップ（滑り止め）加工を容易に施すことができ、かつ、図形等の複雑な形状を描く表現も容易にできる。
【００６８】
図４は、汚垂石３０の変形例１を示したものである。
図４に示した変形例１に係る汚垂石３０には、その表面において壁面Ｗに対して垂直な方向に連続するブラスト加工を所定間隔で複数列の平行線状に施すことによりノンスリップ（滑り止め）加工がなされており、壁面Ｗに対して垂直なブラスト加工部３１とそれ以外の非加工部３２と所定幅が交互に形成されている。
【００６９】
このように汚垂石３０の壁面Ｗに対して垂直な面を並列状にブラスト加工することでも、小便器１０を使用する男子Ｍが、所定間隔の並列状のブラスト加工部３１の所定幅に乗ることで滑り止めを意識し、男子Ｍの履物の長さ、即ち、進行方向に対して滑り止めが効くイメージを受けることで滑り難さを感じ取り、小便器１０に近寄りやすい構造となる。更に、壁面Ｗに対して垂直な方向に並列状にブラスト加工されていることで、ブラスト加工部３１が連続しており、汚垂石３０上の汚水を壁面Ｗの垂直方向の下部に配設する排水溝２０に導きやすい構造となる。
【００７０】
即ち、本実施の形態の汚垂石３０の変形例１では、ブラスト加工部３１から排水溝２０の排水蓋２１の上面に直接連結されているから、漏れた小水、床面４０の洗浄水等は排水蓋２１から排水溝２０を通り、排出可能であるから、図１乃至図３に示した上記実施の形態の汚垂石３０よりも水を使用して清掃する場合には好適となる。
よって、汚垂石３０の表面に水分が現れ難くなり、汚垂石３０の表面の清潔感を維持でき清潔性が向上する。
加えて、ブラスト加工により凹凸が形成されることでブラスト加工部３１は乱反射する艶消し状態となり、そのようなブラスト加工部３１と、ブラスト加工が施されておらず表面が平滑な艶状態の非加工部３２とで縦縞状のデザインとなる。
また、この変形例１においても、ブラスト加工部３１の両側に切削溝（図５を参照して「切削溝３４」のこと）を形成し、水はけを良くすることもできる。
【００７１】
図５は、汚垂石３０の変形例２を示したものである。
図５に示した変形例２に係る汚垂石３０では、図５（ａ）に示すように、その表面において各小便器１０に対向して男子Ｍが用足しする際の好適な立ち位置に履物のシルエットを所定の粒度のブラスト加工で描いたブラスト加工部３１と非加工部３２との境界、即ち、ブラスト加工の限界により履物のシルエットラインを表現している。この履物型形状により、小便器１０で用を足そうとする男子Ｍの視覚に立ち位置を訴えてそれを認識させ、履物を置く位置へ導いて、小便器１０に対して小水が漏れたり跳ね返ったりすることが少ない角度位置で用が足せるように促している。なお、ここでは、ブラスト加工部３１の汚水を排水溝２０に導くための流路を溝からなる切削溝３４により設けている。
【００７２】
また、図５（ｂ）に示すように、汚垂石３０の略全面をブラスト加工し、更に、履物のシルエットライン内を大粒の凹凸になるブラスト加工部３１Ｂを形成し、他の全面を小粒の凹凸になるブラスト加工部３１Ａを形成している。ブラスト加工部３１Ａとブラスト加工部３１Ｂとの間は、非加工部３２としている。
ブラスト加工部３１Ａ，３１Ｂと非加工部３２の境界の履物型形状により、小便器１０で用を足そうとする男子Ｍの視覚に好適な立ち位置を訴え、それを認識させ、履物を置く好適立ち位置へ導いて、小便器１０に対して小水が漏れたり、跳ね返ったりすることが少ない角度位置で用が足せるようにしている。また、ブラスト加工部３１の汚水を排水溝２０に導くための流路を切削溝３４で形成している。
【００７３】
このように男子Ｍの履物を置く位置にブラスト加工により微細な凹凸が形成されることで、男子Ｍの履物との摩擦係数が高まり、かつ、水分が表面の凹部に溜まっても、凸部に水分が保持されないから、凸部の接触により滑り難くなり、スリップが生じない構造となる。
そして、ブラスト加工が、好適な立ち位置に履物のシルエットラインを表現していることで、男子Ｍの立ち位置が決定され、男子Ｍは小水が小便器１０から漏れたり、跳ね返ったりすることのない角度位置で用が足せる。
【００７４】
図６は、汚垂石３０の変形例３を示したものである。
図６に示した変形例３に係る汚垂石３０では、その表面において各小便器１０に対向して男子Ｍが用足しする際の好適の立ち位置に壁面Ｗに平行する所定幅の直線を非加工部３２として合成ゴムで形成し、それ以外をブラスト加工でブラスト加工部３１として形成している。
【００７５】
この直線状の合成ゴムの非加工部３２、換言すると、ブラスト加工の限界によって、小便器１０で用を足そうとする男子Ｍの視覚に男子Ｍが用足しする際の好適な爪先の立ち位置を表示し、それを認識させるようになっており、小水が漏れたり、跳ね返ったりすることが少ない角度位置で用が足せるように促している。なお、ここでも、合成ゴムの非加工部３２とブラスト加工部３１の汚水を排水溝２０に流す流路を切削溝３４によって設けている。
【００７６】
この壁面Ｗに平行する所定幅の直線状の合成ゴムの非加工部３２に男子Ｍの履物の爪先が乗り、ブラスト加工部３１に履物の爪先以下が置かれることで、非加工部３２の合成ゴム、及びブラスト加工により形成されたブラスト加工部３１の微細な凹凸によって、男子Ｍの履物との摩擦係数が高まり、かつ、水分がブラスト加工部３１表面の凹部に溜まっても、凸部に水分が保持されないから、凸部の接触により滑り難くなり、スリップが生じない構造となる。特に、壁面Ｗに平行する直線状の非加工部３２の合成ゴムとブラスト加工部３１の境界により、小便器１０で用を足そうとする男子Ｍの進行方向及び進行方向に対して直角に効果的に滑り止めが効き、小便器１０により一層近寄りやすい構造となる。
そして、所定幅の直線状の合成ゴムの非加工部３２によって、好適な立ち位置を表現していることで、男子Ｍの立ち位置が決定され、男子Ｍは小水が小便器１０から漏れたり跳ね返ったりすることのない角度位置で用が足せる。
【００７７】
図７は、汚垂石３０の変形例４を示したものである。
図７に示した変形例４に係る汚垂石３０では、排水溝２０から所定間隔あけてその全面をブラスト加工することにより、ブラスト加工部３１と非加工部３２との境界３５、即ち、床面４０側に寄って施されたブラスト加工の境界３５を、小便器１０で用足しする際の男子Ｍの好適な爪先の立ち位置として表現することにより、男子Ｍの視覚に男子Ｍが用足しする際の立ち位置を訴えてそれを認識させるようになっており、小水が漏れたり跳ね返ったりすることが少ない角度位置で用が足せるように促している。なお、ここでも、ブラスト加工部３１の汚水を排水溝２０に流すための流路を切削溝３４により設けている。
【００７８】
このように男子Ｍの履物を置く位置にブラスト加工により微細な凹凸が形成されることで、男子Ｍの履物との摩擦係数が高まり、かつ、水分が表面の凹部に溜まっても、凸部に水分が保持されないから、凸部の接触により滑り難くなり、スリップが生じない構造となる。
そして、ブラスト加工部３１と非加工部３２との境界３５が好適な爪先の立ち位置を表現していることで、男子Ｍの好適な立ち位置が決定され、男子Ｍは小水が小便器１０から漏れたり、跳ね返ったりすることのない角度位置で用が足せる。
【００７９】
ここで、ブラスト加工では容易にノンスリップ加工を施すことができ、かつ、図形等の複雑な形状を描く表現も容易にできるが、本発明を実施する場合には、ノンスリップ加工は、ブラスト加工に限定されるものではなく、例えば、汚垂石３０の表面を切削して切削溝を形成する加工とすることもできる。
汚垂石３０の表面を切削して切削溝を形成することによっても、表面が凹凸形状となることから、男子Ｍの履物との摩擦係数が高まり、かつ、切削溝に水分が落ちることで水分が汚垂石３０の表面を覆うことが少なくなり、スリップが生じない構造となる。特に、切削溝の深さによって、汚垂石３０の汚水が表面に露出する確率を自由に設定でき、常に、水分が汚垂石３０の表面を覆うことがないようにすることもでき、清潔さを向上させることができる。
【００８０】
例えば、変形例５に係る汚垂石３０として、図８に示したように、汚垂石３０の表面において、壁面Ｗに垂直な方向に連続して切削して所定幅かつ所定間隔で複数列の平行線状に切削溝３４を形成することによりノンスリップ加工を施してもよい。
このように汚垂石３０の壁面Ｗに対して垂直な面を切削して並列状に切削溝３４を形成することでも、小便器１０を使用する男子Ｍが、所定間隔の並列状の切削溝３４に乗ることで滑り止めを意識し、また、男子Ｍの履物の長さ、即ち、進行方向に対して滑り止めが効くイメージを受けることで、小便器１０に近寄りやすい構造となる。更に、壁面Ｗに対して垂直な方向に並列状にブラスト加工されていることで、切削溝３４が汚水を壁面Ｗの垂直方向の下部に配設する排水溝２０に導きやすい構造となる。加えて、切削溝３４とそれ以外の非加工部３２とで縦縞状のデザインとなる。
【００８１】
また、壁面Ｗに対して垂直な面を切削して並列状に形成した切削溝３４は、図面の左右方向にはスリップしないが、切削溝３４に平行な前後方向にはスリップする可能性がある。そこで、通常、壁面Ｗに対して並行な面を切削して並列状に形成した切削溝として使用される。
本発明を実施する場合、ノンスリップ機能を有しておれば、汚垂石３０のブラスト加工や切削加工の加工形態は、上記に限定されるものではなく、その他にも、上記加工形態を適宜組み合わせて井桁状の格子縞や斜め格子縞等の格子模様としたり、それらに足型の図形等を組み合わせたりすることも可能である。
【００８２】
このように、本実施の形態１に係る男子便所用小便器ユニット１は、壁面Ｗに配設した小便器１０と、小便器１０の外側の底面下端から離して垂直下方に配設した排水蓋２１を有する排水溝２０と、排水溝２０の壁面Ｗの反対側に配設した汚垂石３０とを具備し、汚垂石３０は、御影石（花崗岩）等の石材の平滑面をブラスト加工することによりその表面にノンスリップ加工を施し、かつ、１〜１５度の傾度θで壁面Ｗの反対側の排水蓋２１の上面に一致させて配設したものである。
【００８３】
したがって、本実施の形態１に係る男子便所用小便器ユニット１によれば、用を足そうとする男子Ｍは、汚垂石３０表面のノンスリップ加工の存在を確認するが、汚垂石３０の１〜１５度の傾度θの傾斜を気付かずに小便器１０に向かって立つから、男子Ｍの体が反身になることなく用を足すことができ、１〜１５度の傾度θの傾斜によって小便器１０に近づくことで、小水が小便器１０から外に漏れる確率が低くなる。更に、小水の流れが１〜１５度だけ小便器１０に近づき、小便器１０の立壁部１１に向けて放たれた小水は小便器１０内の立壁部１１に対して表面張力と表面の濡れで、ベクトル的に反発力がなくなるから、跳ね返りの少ない状態で用足しができる。そればかりか、小便器１０内の立壁部１１の沿面に沿って流れる沿面流の濡れ性が表面張力を増し、衝突の際の跳ね返りに相当する小水が少なくなる。したがって、使用者は経験則により、小便器１０に近づいて用を足すことができる。
加えて、汚垂石３０の表面のブラスト加工によって、小便器１０から外に跳ねたり、漏れたりした小水が表面に付着する確率が低いことで、誰が見てもスリップが生じない安心感が得られ、また、清潔さを感じ取る。更に、男子便所用小便器ユニット１が新しいと綺麗に使用しようという意識が作用する。汚垂石３０を排水溝２０の排水蓋２１に一致させていることで、排水溝２０の存在感も軽減される。したがって、小便器１０に近寄りやすい構造となり、小水が小便器１０外に跳ねたり、漏れたりする確率を低くできる。
【００８４】
［実施の形態２]
次に、本発明の実施の形態２に係る男子便所用小便器ユニット１００について、図９を参照して説明する。
本実施の形態２に係る男子便所用小便器ユニット１００は、実施の形態１において１〜１５度の傾度θで排水蓋２１の壁面Ｗの反対側の上面に一致させて配設した汚垂石３０の傾斜角度を、図９に示したように、小便器１０を構成する便鉢部１４の鉛直方向に形成され用を足す男子Ｍと対面する立壁部１１の内面において持たせて、垂直に対して０〜１５度の傾度（図９において角度β＝０〜１５°）で上方が小便器１０を使用する男子Ｍ側に、下方が男子Ｍから離反するように形成したものである。
このように、壁面Ｗに配設した小便器１０における便鉢部１４の立壁部１１内面を、垂直に対して０〜１５度の傾度βで上方が小便器１０を使用する男子Ｍ側に、下方が男子から離反するように形成することでも、同様に小水の小便器１０外への漏れや、飛散を効果的に防止できる。
【００８５】
即ち、小便器１０を構成する便鉢部１４の立壁部１１において、その内面上部から内面下部にかけて０〜１５度の傾度βで傾斜させることで、図２のように便鉢部１４の立壁部１１の内面上部から内面下部が垂直線状である場合よりも、小便器１０で用を足す男子Ｍから放たれた小水の立壁部１１に対する入射角度が立壁部１１側に近づき、立壁部１１に対して表面張力と表面の濡れで、ベクトル的に反発力がなくなるから、跳ね返りの少ない状態で用足しができる。そればかりか、小便器１０内の立壁部１１の沿面に沿って流れる沿面流の濡れ性が表面張力を増し、衝突の際の跳ね返りに相当する小水が少なくなる。したがって、使用者は経験則により、小便器１０に近づいて用を足すことができる。
よって、小水の小便器１０外への漏れや飛散を効果的に防止できる。
【００８６】
ここで、小便器１０を構成する便鉢部１４の立壁部１１において、その内面上部から内面下部にかけて１〜１５度の傾度βで傾斜させる場合、汚垂石３０の傾斜角度θを小便器１０の立壁部１１の傾きから差し引くことも考えられるが、用を足す男子Ｍが汚垂石３０の傾斜角度θ及び小便器１０の傾きβが感じられない程度の角度であれば、この角度が大きいほど、小便器１０で用を足す男子Ｍと小便器１０との距離が近づき、また、小便器１０の内面側の立壁部１１に対してベクトル的に反発力が弱くなり、小水を小便器１０の内面側の立壁部１１に引付けるから、沿面流の濡れ性が表面張力を増し、それだけ跳ね返りが少なくなり、小水の小便器１０外への漏れや飛散をより効果的に防止できる。特に、小便器１０の立壁部１１の傾きは２０度以下であれば、通常の使用者である男子Ｍは、その状態に敏感に反応することがない。
【００８７】
例えば、汚垂石３０の傾斜角度θを５〜１０度、小便器１０の傾きβを１０〜１５度とすることもできる。汚垂石３０の傾斜角度θを５〜１０度とした場合、使用者である男子Ｍの１ｍの高さからすれば、小便器１０に８．７〜１７．６ｍｍ近づく。また、男子Ｍから放たれた小水が汚垂石３０の傾斜角度θ分だけ小水を受ける小便器１０の立壁部１１に近づく。それに加え、小便器１０の立壁部１１の傾きβを１０〜１５度とすることで、更にその分だけ、男子Ｍから放たれた小水とその小水を受ける小便器１０の立壁部１１との角度が近づいて小さくなる。
【００８８】
即ち、汚垂石３０の傾斜に加え小便器１０が傾いていることで、汚垂石３０の傾斜によって小便器１０で用を足す男子Ｍと小便器１０との距離が近づくのみならず、汚垂石３０及び小便器１０の傾きによって、男子Ｍから放たれた小水の立壁部１１に対する入斜角度が小さくなり、小水が立壁部１１の壁面に沿って下降するから、跳ね返りの少ない状態で用足しができる。
そして、本発明の実施の形態２に係る男子便所用小便器ユニット１００においても、汚垂石３０の表面のブラスト加工によるノンスリップ加工によって、水分が表面に付着する確率が低くなることで、誰が見てもスリップが生じない安心感が得られ、また、清潔さを感じ取り、更に、男子便所用小便器ユニット１００が新しいと、綺麗に使用しようとし、また、汚垂石３０を排水溝２０の排水蓋２１の上面に一致させていることで、排水溝２０の深さを疑うこともなく、小便器１０に近づきやすい構造となっている。
よって、小水が小便器１０外に跳ねたり漏れたりする確率を更に低くでき、小便器１０外への漏れや飛散をより効果的に防止でき、男子便所用小便器ユニット１００を一層清潔に保つことができる。
【００８９】
このように本実施の形態２に係る男子便所用小便器ユニット１００は、壁面Ｗに配設した小便器１０と、小便器１０の外側の底面下端から離して垂直下方に配設した排水蓋２１を有する排水溝２０と、排水溝２０の壁面Ｗの反対側に配設した汚垂石３０とを具備し、汚垂石３０は、御影石（花崗岩）等の石材の平滑面をブラスト加工等することによりその表面にノンスリップ加工を施し、かつ、１〜１５度の傾度θで壁面Ｗの反対側の排水蓋２１の上面に一致させて配設し、小便器１０の内面の立壁部１１は、垂直に対して０〜１５度の傾度βで上方が小便器１０を使用する男子Ｍ側に、下方が男子から離反するように形成したものである。
【００９０】
したがって、用を足そうとする男子Ｍは、汚垂石３０表面のノンスリップ加工の存在を確認するが、汚垂石３０や小便器１０の内面が傾いていることを知らないで、小便器１０に向かって立つから、男子Ｍの体が反身になることなく用を足すことができる。このとき、汚垂石３０の傾斜によって、用を足そうとする男子Ｍと小便器１０の距離が近くなり、更に、汚垂石３０や小便器１０の内面の傾きによって、男子Ｍから放たれた小水がその小水を受ける小便器１０の立壁部１１にその傾きの分だけ近づくことで、立壁部１１に対して表面張力と表面の濡れで、ベクトル的に反発力がなくなるから、跳ね返りの少ない状態で用足しができる。そればかりか、小便器１０内の立壁部１１の沿面に沿って流れる沿面流の濡れ性が表面張力を増し、衝突の際の跳ね返りに相当する小水が少なくなる。したがって、使用者は経験則により、小便器１０に近づいて用を足すことができる。よって、小水が小便器１０外に跳ねたり、漏れたりする確率が低くなる。
【００９１】
加えて、汚垂石３０の表面のブラスト加工によるノンスリップ加工によって、水分が表面に付着する確率が低くなることで、誰が見てもスリップが生じない安心感が得られ、また、清潔さを感じ取り、更に、男子便所用小便器ユニット１００が新しいと、綺麗に使用しようとし、また、汚垂石３０を排水溝２０の排水蓋２１の上面に一致させていることで、排水溝２０の深さを疑うこともない。したがって、小便器１０に近寄りやすい構造となり、小便器１０外への漏れや飛散が効果的に防止される。
【００９２】
即ち、本発明の実施の形態２に係る男子便所用小便器ユニット１００によれば、汚垂石３０の表面のブラスト加工等によるノンスリップ加工によって、水分が表面の凹部に溜まっても、凸部に水分が保持されないから、誰が見てもスリップが生じない安心感が得られ、また、清潔さを感じ取り、小便器１０に近づきやすい構造としているうえ、汚垂石３０の傾斜によって小便器１０で用を足す男子Ｍと小便器１０との距離が更に近づくから、小便器１０外へ小水が漏れる確率が低くなる。そして、汚垂石３０及び小便器１０の傾きによって、男子Ｍから放たれた小水の立壁部１１に対する入斜角度が小さくなり、立壁部１１に対して表面張力と表面の濡れで、ベクトル的に反発力がなくなるから、跳ね返りの少ない状態で用足しができる。特に、用を足す男子Ｍと小便器１０との距離を近づけることができることで、小便器１０内の立壁部１１の沿面に沿って流れる沿面流の濡れ性が表面張力を増し、衝突の際の跳ね返りに相当する小水が少なくなり、小便器１０外への漏れや飛散が効果的に防止される。
【００９３】
なお、図９においては、壁面Ｗに配設した小便器１０の内面の立壁部１１は、垂直に対して０〜１５度の傾度βで上方が小便器１０を使用する男子Ｍ側に、下方が男子Ｍから離反するように形成、即ち、鉛直線に対して０〜１５度の傾度βの範囲で内面上方を小便器１０に向かって立つ男子Ｍ寄りに、内面下方を壁面Ｗ寄りに設けたものである。小便器１０の内面の立壁部１１は、例えば、小便器１０の高さの１／２の上部が鉛直線であっても、下から１／２の下部が０〜１５度の傾度を有しておればよい。勿論、小便器１０の全体が０〜１５度の傾度を有していてもよい。
このように、小便器１０の鉛直線に対し、内面上部から内面下部の直線に０〜１５度の傾度βの傾斜を持たせたことでも、汚垂石３０の傾斜角度θを１〜１５度の傾度としたときの同様の作用効果がある。
【００９４】
また、図９では、図２の小便器１０の立壁部１１と比較してその下方の厚みは殆ど変えずに上方に向かって徐々に厚みを増すことで、小便器１０の内面を、垂直に対して１〜１５度の傾度βで上方が小便器１０を使用する男子Ｍ側に、下方が男子Ｍから離反するように形成している。この場合、図２の小便器１０よりも、男子Ｍと男子Ｍから放たれた小水を受ける小便器１０の立壁部１１との距離がより近づくことになるが、小便器１０の立壁部１１の傾きは２０度以下であれば、通常の使用者である男子Ｍはその状態がデザインに影響を及ぼす可能性がない。例えば、小水を受ける小便器１０の立壁部１１の内面下部から５０ｃｍ離れた高さからすれば、立壁部１１の内面上部から内面下部が垂直線状である図２の小便器１０よりも、男子Ｍと小水を受ける立壁部１１との距離が更に１３．４〜１８．８ｍｍ近づくことになる。よって、小水が小便器１０外に漏れたり跳ねたりする確率を低くできる。本発明を実施する場合には、図２の小便器１０の立壁部１１と比較して、その下方の厚みを薄くし、上方の厚みを厚くすることで、小便器１０の内面を、垂直に対して１〜１５度の傾度βで上方が小便器１０を使用する男子Ｍ側に、下方が男子から離反するように形成することも可能である。
【００９５】
また、上記実施の形態２では、小便器１０の鉛直方向に形成され使用者と対面する立壁部１１において、その内面を、垂直に対して０〜１５度の傾度βで上方が小便器１０を使用する男子Ｍ側に、下方が男子から離反するように形成したが、本発明を実施する場合には、内面上部から下部は鉛直線状の立壁部１１を有する小便器１０をその上部に対して、下部が、その鉛直線に対して０〜１５度の傾度βの範囲に壁面Ｗ寄りに傾けて壁面Ｗに対して取り付けることで、小便器１０の内面を、垂直に対して０〜１５度の傾度βで上方が小便器１０を使用する男子Ｍ側に、下方が男子から離反するように設けたものとすることができる。これによっても、上記と全く同様の効果を得ることができる。このときの取り付けは、例えば、小便器１０の背面に係止フック等を設けておき、この係止フック等を壁面Ｗに設けた係止具に係止することによって行うことができる。
【００９６】
上記実施の形態１及び実施の形態２では、複数の小便器１０を壁面Ｗと並行に設置したものについて説明し、排水溝２０及び汚垂石３０を壁面Ｗに平行して連続して設けているが、本発明を実施する場合には、連続させることなく、各小便器１０の個々に対応して個別に排水溝２０及び汚垂石３０を配設してもよい。
【符号の説明】
【００９７】
１,１００    男子便所用小便器ユニット
１０  男子用小便器
１１  立壁部
２０  排水溝
２１  排水蓋
３０  汚垂石
３１  ブラスト加工部
３２  非加工部
３４  切削溝
Ｗ    壁面
【要約】
【課題】小水の小便器外への漏れや飛散を効果的に防止できること。
【解決手段】男子便所用小便器ユニット１は、壁面Ｗに配設した小便器１０と、小便器１０の底面から離して垂直下方に配設した排水蓋２１を有する排水溝２０と、排水溝２０の前記壁面の反対側に配設した汚垂石３０とを具備し、汚垂石３０は、御影石（花崗岩）等の石材の平滑面をブラスト加工することによりその表面にノンスリップ加工を施し、かつ、１〜１５度の傾度で排水蓋２１の壁面Ｗの反対側の上面に一致させて配設したものである。
【選択図】図２【図１】
0005946947.tif 000002
【図２】
0005946947.tif 000003
【図３】
0005946947.tif 000004
【図４】
0005946947.tif 000005
【図５】
0005946947.tif 000006
【図６】
0005946947.tif 000007
【図７】
0005946947.tif 000008
【図８】
0005946947.tif 000009
【図９】
0005946947.tif 000010